(57)【要約】  【課題】１つのＯＳＤ信号生成装置２３を用いて複数の表示装置３０にオンスクリーン表示を行うことにより、映像分配システム１０の部品点数およびコストを減少させることができる映像信号分配装置２０を提供する。  【解決手段】本発明の映像信号分配装置２０は、映像に重畳させる画面であるオンスクリーン画面の領域毎に複数の表示装置３０のいずれに表示させるかを予め定め、映像および当該オンスクリーン画面を、複数の表示装置３０のそれぞれに供給すると共に、映像の同期信号に同期して、当該オンスクリーン画面の領域毎に、当該領域を表示させる表示装置３０へ、オンスクリーン画面に切り替える旨を指示する信号を供給する。【選択図】図２
2008089979.tif 000002
【特許請求の範囲】
【請求項１】
複数の表示装置に映像を分配する映像分配装置であって、
入力された映像信号を、前記複数の表示装置のそれぞれに分配する映像信号分配部と、
前記映像信号に同期して、前記映像上に重畳する画面を示す信号であるオンスクリーン画面信号、および、前記オンスクリーン画面信号と前記映像信号とを切り替えるための切替信号を出力するオンスクリーン信号生成部と、
前記オンスクリーン信号生成部から出力されたオンスクリーン画面信号を、前記複数の表示装置のそれぞれに分配するオンスクリーン画面信号分配部と、
前記複数の表示装置のそれぞれに表示されるべき画面の画素毎に前記複数の表示装置のいずれに出力するかを示す設定情報に基づいて、前記映像信号に同期して、前記複数の表示装置のいずれかを選択する表示装置選択部と、
前記表示装置選択部によって選択された表示装置に、前記オンスクリーン信号生成部によって生成された切替信号を供給する切替信号供給部と
を備えることを特徴とする映像分配装置。
【請求項２】
請求項１に記載の映像分配装置であって、
前記表示装置選択部は、
前記映像信号に同期して、予め定められた複数の水平走査ライン毎に、前記複数の表示装置のいずれかを選択することを特徴とする映像分配装置。
【請求項３】
請求項１または２に記載の映像分配装置であって、
前記表示装置選択部は、
前記設定情報を、前記映像分配装置の外部から受け付けることを特徴とする映像分配装置。
【請求項４】
請求項１から３のいずれか一項に記載の映像分配装置であって、
前記映像信号は、コンポジットビデオ信号であり、
前記オンスクリーン画像信号は、ＲＧＢ形式の信号であることを特徴とする映像分配装置。
【発明の詳細な説明】
【技術分野】
【０００１】
本発明は、複数の表示装置に映像を分配する映像分配装置に関する。
【背景技術】
【０００２】
特許文献１には、入力された映像信号と、文字等の画像の信号とを、当該映像信号に同期して切り替えることにより、映像上に文字等の画像が重畳されて表示されるオンスクリーン表示技術について開示されている。当該オンスクリーン表示を実現するための映像表示システム７０の構成は、例えば図７に示すようになる。
【０００３】
テレビ受像機等の映像信号出力装置７１は、コンポジットビデオ信号をＯＳＤ（オンスクリーンディスプレイ）信号生成装置７２、ＲＧＢ変換部７３、および表示部７５へ出力する。ＯＳＤ信号生成装置７２は、表示部７５に表示する文字等の画面を示すＲＧＢ形式の信号を切替部７４へ出力すると共に、映像信号出力装置７１から出力されるコンポジットビデオ信号に同期して、当該画面内の文字等の画像が表示されるべき画素においてアクティブとなる切替信号を切替部７４へ出力する。
【０００４】
ＲＧＢ変換部７３は、映像信号出力装置７１から出力されたコンポジットビデオ信号をＲＧＢ形式に変換して切替部７４へ出力する。切替部７４は、ＲＧＢ変換部７３によってＲＧＢ形式に変換された映像信号と、ＯＳＤ信号生成装置７２から出力されたＲＧＢ形式の画面を示す信号とを受け付け、ＯＳＤ信号生成装置７２から出力された切替信号がアクティブの場合に、ＯＳＤ信号生成装置７２から出力された画面の信号を表示部７５へ出力し、当該切替信号が非アクティブの場合に、ＲＧＢ変換部７３によってＲＧＢ形式に変換された映像信号を表示部７５へ出力する。
【０００５】
【特許文献１】特開２０００−２２４４７７号公報
【発明の開示】
【発明が解決しようとする課題】
【０００６】
ところで、近年、車量に搭載されるナビゲーションシステムでは、前の座席と後部座席のそれぞれに表示装置が設けられる場合がある。それぞれの表示装置では、当該表示装置の制御用のメニューがオンスクリーン表示される場合がある。このようなオンスクリーン表示を、図７を用いて説明した従来技術を用いて実現するとすれば、複数の表示装置のそれぞれに対して、ＯＳＤ信号生成装置７２が１つずつ必要になる。そのため、部品点数が多くなり、ナビゲーションシステムを小型化することが難しくなると共に、ナビゲーションシステム全体のコストが高くなる場合があった。
【０００７】
本発明は上記事情を鑑みてなされたものであり、本発明の目的は、１つのＯＳＤ信号生成装置を用いて複数の表示装置にオンスクリーン表示を行うことができるようにすることにある。
【課題を解決するための手段】
【０００８】
上記課題を解決するために、本発明の映像分配装置は、映像に重畳させる画面であるオンスクリーン画面の領域毎に複数の表示装置のいずれに表示させるかを予め定め、映像および当該オンスクリーン画面を、複数の表示装置のそれぞれに供給すると共に、映像の同期信号に同期して、当該オンスクリーン画面の領域毎に、当該領域を表示させる表示装置へ、オンスクリーン画面に切り替える旨を指示する信号を供給する。
【０００９】
また、本発明は、例えば、複数の表示装置に映像を分配する映像分配装置であって、入力された映像信号を、複数の表示装置のそれぞれに分配する映像信号分配部と、映像信号に同期して、映像上に重畳する画面を示す信号であるオンスクリーン画面信号、および、オンスクリーン画面信号と映像信号とを切り替えるための切替信号を出力するオンスクリーン信号生成部と、オンスクリーン信号生成部から出力されたオンスクリーン画面信号を、複数の表示装置のそれぞれに分配するオンスクリーン画面信号分配部と、複数の表示装置のそれぞれに表示されるべき画面の画素毎に複数の表示装置のいずれに出力するかを示す設定情報に基づいて、映像信号に同期して、複数の表示装置のいずれかを選択する表示装置選択部と、表示装置選択部によって選択された表示装置に、オンスクリーン信号生成部によって生成された切替信号を供給する切替信号供給部とを備えることを特徴とする映像分配装置を提供する。
【発明の効果】
【００１０】
本発明の映像分配装置によれば、１つのオンスクリーン生成部を用いて複数の表示装置にオンスクリーン表示を行うことができ、部品点数およびシステムのコストを減少させることができる。
【発明を実施するための最良の形態】
【００１１】
以下に、図面を参照しつつ、本発明の実施の形態について説明する。
【００１２】
図１は、本発明の一実施形態に係る映像分配システム１０の構成を示すシステム構成図である。映像分配システム１０は、映像信号出力装置１１、映像信号分配装置２０、および複数の表示装置３０を備える。映像信号出力装置１１は、例えばテレビ受像機であり、コンポジットビデオ信号等の映像信号を映像信号分配装置２０へ出力する。
【００１３】
映像信号分配装置２０は、映像信号出力装置１１から出力された映像信号によって表示される画面上に重畳して表示する画面であって、文字等の画像を含むオンスクリーン画面を生成する。そして、映像信号分配装置２０は、映像信号出力装置１１から出力された映像信号と共に、生成したオンスクリーン画面を示すオンスクリーン画面信号をそれぞれの表示装置３０へ供給する。また、映像信号分配装置２０は、映像信号とオンスクリーン画面信号とを切り替えるための切替信号を、それぞれの表示装置３０に供給する。
【００１４】
それぞれの表示装置３０は、映像信号分配装置２０を介して映像信号出力装置１１から出力された映像信号と、映像信号分配装置２０から出力されたオンスクリーン画面信号とを受け付ける。そして、表示装置３０は、映像信号分配装置２０を介して映像信号出力装置１１から出力された映像信号に含まれる同期信号に同期して、映像信号分配装置２０から出力された切替信号がアクティブの場合に、映像信号分配装置２０から出力されたオンスクリーン画面信号によって生成される画素を表示し、当該切替信号が非アクティブの場合に、映像信号出力装置１１から出力された映像信号によって生成される画素を表示する。
【００１５】
図２は、映像信号分配装置２０の詳細な機能構成の一例を示すブロック図である。映像信号分配装置２０は、映像信号分配部２１、表示装置選択部２２、ＯＳＤ信号生成装置２３、切替信号供給部２４、およびＯＳＤ画面分配部２５を備える。
【００１６】
映像信号分配部２１は、映像信号出力装置１１から出力された映像信号を、表示装置選択部２２、ＯＳＤ信号生成装置２３、および複数の表示装置３０のそれぞれに分配する。なお、本実施形態において、分配とは、受け取った情報と同一の情報を、複数の送信先へ送信することを意味する。
【００１７】
ＯＳＤ信号生成装置２３は、映像信号分配部２１から受け取った映像信号に同期して、当該映像信号によって表示される映像上に重畳するオンスクリーン画面を示すオンスクリーン画面信号を生成し、生成したオンスクリーン画面信号をＯＳＤ画面分配部２５へ供給する。本実施形態において、オンスクリーン画面信号は、例えばＲＧＢ形式の信号である。
【００１８】
また、ＯＳＤ信号生成装置２３は、映像信号に含まれる同期信号に同期して、画素毎にオンスクリーン画面信号と映像信号とを切り替えるための切替信号を生成し、生成した切替信号を切替信号供給部２４へ供給する。
【００１９】
ＯＳＤ画面分配部２５は、ＯＳＤ信号生成装置２３から供給されたオンスクリーン画面信号を、複数の表示装置３０のそれぞれへ分配する。表示装置選択部２２は、オンスクリーン画面の領域毎に、当該領域を複数の表示装置３０のいずれに表示させるかを示す設定情報を予め格納している。
【００２０】
表示装置選択部２２は、格納している設定情報に基づき、映像信号分配部２１から供給された映像信号に含まれる同期信号に同期して、水平走査ライン毎に、複数の表示装置３０のいずれかに対応する選択信号をアクティブにする。
【００２１】
設定情報には、例えば図３に示すように、オンスクリーン画面上の水平走査ラインを識別する水平走査ライン番号４１に対応付けて、いずれの選択信号をアクティブにするかを示すアクティブ信号４２が格納されている。それぞれの選択信号は、複数の表示装置３０のいずれか１つに対応している。本実施形態において、「選択信号１」は表示装置３０−１に、「選択信号２」は表示装置３０−２に、それぞれ対応付けられている。
【００２２】
また、図３に示した例のように、２０本の水平走査ライン毎に、アクティブにする選択信号を切り替えることにより、最大１２台の表示装置３０に、オンスクリーン画面内の異なる領域に含まれる画像を重畳させることができる。
【００２３】
なお、本実施形態において、表示装置選択部２２は、画面の水平走査ライン毎に、オンスクリーン画面を表示させる表示装置を選択するが、他の形態として、表示装置選択部２２は、映像信号に含まれる同期信号に同期して、画面内の画素毎に、オンスクリーン画面を表示させる表示装置３０を切り替えるようにしてもよい。
【００２４】
また、表示装置選択部２２に設定情報を外部から受け付ける手段を設け、表示装置選択部２２は、当該受け付ける手段を介して、映像分配システム１０のユーザから受け付けた設定情報を格納するようにしてもよい。
【００２５】
切替信号供給部２４は、ＯＳＤ信号生成装置２３から切替信号を受け付け、表示装置選択部２２によってアクティブとなった選択信号に対応する表示装置３０へ、ＯＳＤ信号生成装置２３から受け付けた切替信号を供給する。また、切替信号供給部２４は、それ以外の表示装置３０に対しては非アクティブの切替信号（ハイアクティブの場合にはローレベル）を供給する。
【００２６】
図４は、表示装置３０の詳細な機能構成の一例を示すブロック図である。表示装置３０は、ＲＧＢ変換部３１、切替部３２、および表示部３３を備える。ＲＧＢ変換部３１は、映像信号分配部２１から出力された映像信号をＲＧＢ形式に変換して切替部３２へ出力する。なお、映像信号出力装置１１から出力される映像信号がＲＧＢ形式である場合、映像信号分配部２１から出力された映像信号が切替部３２の一方の入端に入力される。
【００２７】
切替部３２は、ＲＧＢ変換部３１によって変換されたＲＧＢ形式の映像信号と、ＯＳＤ画面分配部２５から出力されたオンスクリーン画面信号（ＲＧＢ形式）とを受け付け、切替信号供給部２４から出力された切替信号がアクティブの場合に、ＯＳＤ画面分配部２５から出力されたオンスクリーン画面信号を表示部３３へ出力し、当該切替信号が非アクティブの場合に、ＲＧＢ変換部３１によってＲＧＢ形式に変換された映像信号を表示部３３へ出力する。
【００２８】
表示部３３は、例えばＬＣＤ（Liquid Crystal Display）等であり、映像信号分配部２１から供給された映像信号に含まれる同期信号に同期して、切替部３２から出力される信号を画面内の対応する画素として表示する。
【００２９】
図５は、映像信号分配装置２０によって生成される制御信号の関係を説明するためのタイミングチャートである。
【００３０】
タイミングチャート５０は、ＯＳＤ信号生成装置２３によって生成されて切替信号供給部２４に供給される切替信号を示し、タイミングチャート５１は、表示装置選択部２２から出力される、表示装置３０−１に対応する選択信号（ハイアクティブ）を示し、タイミングチャート５２は、表示装置選択部２２から出力される、表示装置３０−２に対応する選択信号（ハイアクティブ）を示し、タイミングチャート５３は、切替信号供給部２４から表示装置３０−１に供給される切替信号を示し、タイミングチャート５４は、切替信号供給部２４から表示装置３０−２に供給される切替信号を示す。
【００３１】
表示装置選択部２２は、予め設定されている設定情報に基づいて、映像信号出力装置１１から出力される映像信号に同期して、水平走査ライン毎に所定の選択信号をアクティブにする。表示装置選択部２２は、例えば図６（ａ）に示すように、オンスクリーン画面６０を複数の領域６１〜６４に分け、領域６１および領域６３に対応する水平走査ラインを表示装置３０−１に割当て、領域６２および領域６４に対応する水平走査ラインを表示装置３０−１に割当てた設定情報を予め格納する。
【００３２】
そして、表示装置選択部２２は、設定情報に基づいて、映像信号の同期信号が領域６１または領域６３を走査している間は、表示装置３０−１に対応する選択信号１をアクティブにし、映像信号の同期信号が領域６２または領域６４を走査している間は、表示装置３０−２に対応する選択信号２をアクティブにする。
【００３３】
切替信号供給部２４は、図５のタイミングチャート５０に示す切替信号において、タイミングチャート５１に示される選択信号１がアクティブである期間５１０の切替信号を、タイミングチャート５３に示すように、表示装置３０−１に供給する。
【００３４】
同様に、切替信号供給部２４は、タイミングチャート５０に示す切替信号において、タイミングチャート５２に示される選択信号２がアクティブである期間５２０の切替信号を、タイミングチャート５４に示すように、表示装置３０−２に供給する。
【００３５】
このように、オンスクリーン画面の水平走査ライン毎に表示装置３０を切り替えることにより、表示装置３０−１には、例えば図６（ｂ）に示すように、領域６１および領域６３に対応する画像を含むオンスクリーン画面６５が表示され、表示装置３０−２には、例えば図６（ｃ）に示すように、領域６２および領域６４に対応する画像を含むオンスクリーン画面６６が表示される。
【００３６】
以上、本発明の実施の形態について説明した。
【００３７】
上記説明から明らかなように、本発明の映像信号分配装置２０によれば、１つのＯＳＤ信号生成装置２３を用いて複数の映像信号分配装置２０にオンスクリーン表示を行うことができ、ナビゲーションシステム等の映像分配システム１０の部品点数およびコストを減少させることができる。
【００３８】
以上、本発明を実施の形態を用いて説明したが、本発明の技術的範囲は上記した実施の形態に記載の範囲には限定されない。また、上記した実施の形態に、多様な変更または改良を加えることが可能であることが当業者にとって明らかである。さらに、そのような変更または改良を加えた形態も本発明の技術的範囲に含まれ得ることが、特許請求の範囲の記載から明らかである。
【図面の簡単な説明】
【００３９】
【図１】本発明の一実施形態に係る映像分配システム１０の構成を示す図である。
【図２】映像信号分配装置２０の詳細な機能構成の一例を示すブロック図である。
【図３】設定情報４０のデータ構造の一例を示すブロック図である。
【図４】表示装置３０の詳細な機能構成の一例を示すブロック図である。
【図５】映像信号分配装置２０によって生成される制御信号の関係を説明するためのタイミングチャートである。
【図６】ＯＳＤ画面および表示部３３に表示される画面を説明するための概念図である。
【図７】従来の映像表示システム７０の構成を説明するシステム構成図である。
【符号の説明】
【００４０】
１０・・・映像分配システム、１１・・・映像信号出力装置、２０・・・映像信号分配装置、２１・・・映像信号分配部、２２・・・表示装置選択部、２３・・・ＯＳＤ信号生成装置、２４・・・切替信号供給部、２５・・・ＯＳＤ画面分配部、３０・・・表示装置、３１・・・ＲＧＢ変換部、３２・・・切替部、３３・・・表示部、４０・・・設定情報、４１・・・水平走査ライン番号、４２・・・アクティブ信号、５０・・・タイミングチャート、５１・・・タイミングチャート、５１０・・・期間、５２・・・タイミングチャート、５２０・・・期間、５３・・・タイミングチャート、５４・・・タイミングチャート、６０・・・オンスクリーン画面、６１・・・領域、６２・・・領域、６３・・・領域、６４・・・領域、６５・・・オンスクリーン画面、６６・・・オンスクリーン画面、７０・・・映像表示システム、７１・・・映像信号出力装置、７２・・・ＯＳＤ信号生成装置、７３・・・ＲＧＢ変換部、７４・・・切替部、７５・・・表示部
【図１】
2008089979.tif 000003
【図２】
2008089979.tif 000004
【図３】
2008089979.tif 000005
【図４】
2008089979.tif 000006
【図５】
2008089979.tif 000007
【図６】
2008089979.tif 000008
【図７】
2008089979.tif 000009